(57)【要約】      （修正有）【課題】幻想的な世界に浸れる装飾用としても用いられ、短絡等の電気的なトラブルの発生が無く、立ち上る微粒子が良く目視できるなど、画期的で実用性の高い照明付き超微粒子噴霧器を提供する。【解決手段】  超微粒子を噴霧させる噴霧器であって、上側ケーシング１と、下側ケーシング４と、仕切板６と、透明樹脂カバー１２と、送風機１３と、照明用ＬＥＤ１７と、を備え、照明用ＬＥＤ１７への配線コード１８はダクト１４内に配設すると共に、超音波発振部１１は中央に超音波振動子２２を備え、超音波振動子２２の周辺に液体貯留部１１ａを凹設し、液体貯留部１１ａに微粒子流通間隔を設けて載置する透明樹脂カバー１２はカバー鍔部と、カバー挿通部１２ｃと、半割れテーパー状に上方に膨出するカバー側面１２ｄと、微粒子選別部１２ｅを延設すると共に、カバー開口部１２ａの両側には微粒子流通切欠部１２ｆを切欠している。【選択図】図１
2008302293.tif 000002
【特許請求の範囲】
【請求項１】
液体を霧化させて雰囲気中に超微粒子を噴霧させる略富士山型の噴霧器であって、頂部に超微粒子噴霧部を設け前面に透明透視部を貼設し下端を開口させた略カップ状の上側ケーシングと、該上側ケーシングの下端の開口を着脱自在に嵌着させ上方に本体基板を形成した下側ケーシングと、該下側ケーシングの本体基板に立設した前記上側ケーシングを前後に仕切る仕切板と、該仕切板の裏側に形成した噴霧液用タンクを着脱可能に収容する噴霧液用タンク収容部と、該噴霧液用タンク収容部の下方の前記本体基板に形成した噴霧液貯留部と、該噴霧液貯留部と連通させ前記仕切板の下方を貫通させた液体流入溝と、該液体流入溝と連通させ前記仕切板の表側の前記本体基板に設けた超音波発振部と、該超音波発振部の上方と前方と両側方とを覆うと共に後方にカバー開口部を設けて立設する略半割れ截台円錐状の透明樹脂カバーと、前記本体基板の下方に配設した送風機と、該送風機の送風口と連通させて前記仕切板の裏面に形成したダクトと、該ダクトと連通させて前記仕切板の中央に穿設した主エア流入孔と、前記ダクトと連通させて前記仕切板の片側側部に直線状に位置させて穿設した複数の旋回流用エア流入孔と、前記仕切板の上方に突設した本体庇部に埋設した照明用ＬＥＤと、を備え、前記照明用ＬＥＤへの配線コードは前記ダクト内に配設すると共に、前記超音波発振部は中央に超音波振動子を備え、該超音波振動子の周辺に前記液体流入溝と連通する略長円状の液体貯留部を凹設し、該液体貯留部の開口周辺に前記仕切板と前記カバー開口部との間に微粒子流通間隔を設けて載置する前記透明樹脂カバーは平坦状のカバー鍔部と、該カバー鍔部の下方に垂設して前記液体貯留部の開口に挿脱自在に挿通させる略Ｃ字状のカバー挿通部と、前記カバー鍔部に両側と前側とが半割れテーパー状に上方に膨出するように延設したカバー側面と、該カバー側面の頂部に略平坦な微粒子選別部を延設すると共に、前記カバー開口部の両側には微粒子流通切欠部を切欠していることを特徴とする照明付き超微粒子噴霧器。
【請求項２】
前記下側ケーシングの前面に操作部を設け、該操作部にオンオフのメインスイッチボタンを配設し、該オンオフのメインスイッチボタンは商業電源と電気的に接続し前記下側ケーシングに内装したスイッチング回路を介装し、該スイッチング回路は前記送風機と前記超音波発信部と前記照明用ＬＥＤとを電気的に接続させると共に、前記メインスイッチボタンでオフにした時に前記送風機のみを一定時間駆動させる遅延スイッチ回路を備えたことを特徴とする請求項１に記載の照明付き超微粒子噴霧器。
【請求項３】
前記操作部に微粒子噴霧量調整ツマミを配設し、該微粒子噴霧量調整ツマミは超音波振動子振動量変動回路を介装して前記スイッチング回路に接続したことを特徴とする請求項２に記載の照明付き超微粒子噴霧器。
【請求項４】
前記操作部にタイマー設定ボタンを配設し、該タイマー設定ボタンはタイマー設定回路を介装して前記スイッチング回路に接続したことを特徴とする請求項２又は請求項３に記載の照明付き超微粒子噴霧器。
【請求項５】
前記操作部に間欠運転設定ボタンを配設し、該間欠運転設定ボタンは間欠運転設定回路を介装して前記スイッチング回路に接続したことを特徴とする請求項２〜４のいずれか一項に記載の照明付き超微粒子噴霧器。
【発明の詳細な説明】
【技術分野】
【０００１】
本発明は雰囲気中に超音波発振手段によって液体を超微粒子にして噴霧する照明付きの噴霧器に関するものであり、更に詳細には、本体ケーシングの内部の超音波発振手段から立ち上る超微粒子を前面及び側面から目視させると共に、夜間でもカラー照明手段で幻想的な噴霧が目視可能と共に、分解組立が可能で容易に洗浄ができる照明付き超微粒子噴霧器に関するものである。
【背景技術】
【０００２】
従来、一般住居やオフィス等で空気が乾燥した時には加湿器が用いられており、一般的には超音波発振装置を内装して、水道水や蒸留水等を液体タンクに入れて噴霧させているものである。
【０００３】
然し乍ら、従来の加湿器である噴霧器は本体ケーシングの上方から液体を超音波発振させて微粒子にして湯気のように噴霧させているものが一般的で、加湿効果は有しているものの、何の変哲もないものであり、デザイン的にも単に箱状や円筒状の頂部や上前方から微粒子を放出しているものであった。
【０００４】
その為に、本出願人が先に開示したものとして、本体ケーシング１に張設した窓部１ａと、照明手段２と、液体タンク５の前方を仕切る仕切板６と、仕切板に穿設した空気流入孔６ａと、超音波発振手段３に被せた微粒子選択カップ１０とを備え、更に、微粒子選択カップは略半割れ截台円錐状に形成し、前面と側面に微粒子放出開口部１０ａを設け、微粒子を衝突させる微粒子受板１０ｃを装着したもの（特許文献１参照）や、本体ケーシング１と、本体ケーシングに張設した窓部２と、窓部の上方に設けた照明手段３と、窓部の下方に設けた超音波発振手段４と、超音波発振手段に液体を流入させる液体流入手段５と、液体タンク６と、超音波発振手段で霧化した微粒子を放出する微粒子放出部７と、微粒子放出部に設けた噴霧量調節手段８と、ファン９と、微粒子流通路１０と、微粒子流通路に突出させた微粒子選択プレート１１とを備えたもの（特許文献２参照）が開示されている。
【特許文献１】特開２００５−１４４０９６号公報
【特許文献２】特開２００４−９０４０号公報
【発明の開示】
【発明が解決しようとする課題】
【０００５】
つまり、特許文献１や特許文献２に記載されているように、照明付き超微粒子噴霧器は照明手段を有し、立ち上る微粒子を窓部から目視できるものの、経時使用後に窓部や微粒子流入系路の側壁に水垢等の汚れが付着して洗浄するのが困難であり、また、照明手段や送風機やスイッチング回路等の電気配線を有しており、湿度１００％で運転されるこの種の噴霧器は噴霧液用タンクから微粒子噴霧部までの水流通系及び微粒子流通系と電気配線系を完全に分離することが困難であり、トラブルが発生する要因と成っていた。
【課題を解決するための手段】
【０００６】
本発明は前記課題に鑑み、鋭意研鑽の結果、頂部に超微粒子噴霧部を設け前面に透明透視部を貼設し下端を開口させた上側ケーシングと、上側ケーシングの開口を着脱自在に嵌着させ本体基板を形成した下側ケーシングと、下側ケーシングの本体基板に立設した仕切板と、仕切板の裏側に形成した噴霧液用タンクを収容する噴霧液用タンク収容部と、噴霧液用タンク収容部の下方に形成した噴霧液貯留部と、噴霧液貯留部と連通させ仕切板の下方を貫通させた液体流入溝と、液体流入溝と連通させた超音波発振部と、超音波発振部の上方と前方と両側方とを覆うと共にカバー開口部を設けて立設する透明樹脂カバーと、本体基板の下方に配設した送風機と、送風機の送風口と連通させて仕切板の裏面に形成したダクトと、ダクトと連通させて仕切板の中央に穿設した主エア流入孔と、ダクトと連通させて仕切板の片側側部に穿設した複数の旋回流用エア流入孔と、仕切板の上方に突設した本体庇部に埋設した照明用ＬＥＤと、を備え、照明用ＬＥＤへの配線コードはダクト内に配設すると共に、超音波発振部は超音波振動子を備え、超音波振動子の周辺に液体流入溝と連通する液体貯留部を凹設し、液体貯留部の開口周辺に仕切板とカバー開口部との間に微粒子流通間隔を設けて載置する透明樹脂カバーはカバー鍔部と、カバー鍔部に垂設して液体貯留部の開口に挿通させるカバー挿通部と、カバー鍔部に両側と前側とに延設したカバー側面と、カバー側面の頂部に微粒子選別部を延設すると共に、カバー開口部の両側には微粒子流通切欠部を切欠しているものである。
【０００７】
更に、下側ケーシングの前面に操作部を設け、操作部にオンオフのメインスイッチボタンを配設し、オンオフのメインスイッチボタンは商業電源と電気的に接続し下側ケーシングに内装したスイッチング回路を介装し、スイッチング回路は送風機と超音波発信部と照明用ＬＥＤとを電気的に接続させると共に、メインスイッチボタンでオフにした時に送風機のみを一定時間駆動させる遅延スイッチ回路を備えたものであり、更には、操作部に微粒子噴霧量調整ツマミを配設し、微粒子噴霧量調整ツマミは超音波振動子振動量変動回路を介装して前記スイッチング回路に接続したものであり、加えて、操作部にタイマー設定ボタンを配設し、タイマー設定ボタンはタイマー設定回路を介装して前記スイッチング回路に接続したものであり、更には、操作部に間欠運転設定ボタンを配設し、間欠運転設定ボタンは間欠運転設定回路を介装してスイッチング回路に接続したものである。
【発明の効果】
【０００８】
本発明の照明付き超微粒子噴霧器は、上側ケーシングに透明部材で形成した透明透視部を備えたことと、上方に照明用ＬＥＤを設けたことと、超音波発振部を設けたことによって、照明用ＬＥＤで上方から超音波発振部を照明できると共に、送風機により送られる空気流が主エア流入孔と複数の旋回流用エア流入孔から流入して液体が霧化されて立ち上る超微粒子を旋回流として立ち上らせ、更に、カラー照明の照明用ＬＥＤでライトアップされ幻想的な世界に浸れる装飾用としても用いられるものであり、更には、水流通系及び微粒子流通系と電気配線系を完全に分離させていることから、短絡等の電気的なトラブルの発生が無く成り、加えて、透明樹脂カバーを一体に形成し、仕切板との間に微粒子流通間隔を設け、超音波発振部の上方と前方と両側方とを覆うように立設させたことから、立ち上る超微粒子が透明樹脂カバーの内部、及び、カバー開口部と仕切板との間の微粒子流通間隔から立ち上る微粒子が良く目視でき、更に、遅延スイッチ手段を備えたことにより、一定時間送風機のみが駆動を継続してスイッチ切断後の立ち上った微粒子を完全に排除することで、使用後に内側に微粒子が付着して曇る心配も無くなるもので、画期的で実用性の高い発明である。
【発明を実施するための最良の形態】
【０００９】
以下、本発明の照明付き超微粒子噴霧器の実施例の図面を用いて詳細に説明すと、図１は本発明の照明付き超微粒子噴霧器の実施例の全体斜視図であり、図２は本発明の照明付き超微粒子噴霧器の実施例の内部の説明をするための分解斜視図であり、図３は本発明の照明付き超微粒子噴霧器の実施例の透明樹脂カバーの斜視図であり、図４は本発明の照明付き超微粒子噴霧器の実施例の回路図である。
【００１０】
本発明は雰囲気中に超音波発振手段によって液体を超微粒子にして噴霧する照明付きの噴霧器に関するものであり、更に詳細には、本体ケーシングの内部の超音波発振手段から立ち上る超微粒子を前面及び側面から目視させると共に、昼間でもカラー照明手段で幻想的な噴霧が目視可能と共に、分解組立が可能で容易に洗浄ができる照明付き超微粒子噴霧器に関するものであり、請求項１に記載の照明付き超微粒子噴霧器は、液体を霧化させて雰囲気中に超微粒子を噴霧させる略富士山型の噴霧器であって、頂部に超微粒子噴霧部２を設け前面に透明透視部２を貼設し下端を開口させた略カップ状の上側ケーシング１と、該上側ケーシング１の下端の開口を着脱自在に嵌着させ上方に本体基板５を形成した下側ケーシング４と、該下側ケーシング４の本体基板５に立設した前記上側ケーシング１を前後に仕切る仕切板６と、該仕切板６の裏側に形成した噴霧液用タンク７を着脱可能に収容する噴霧液用タンク収容部８と、該噴霧液用タンク収容部８の下方の前記本体基板５に形成した噴霧液貯留部９と、該噴霧液貯留部９と連通させ前記仕切板６の下方を貫通させた液体流入溝１０と、該液体流入溝１０と連通させ前記仕切板６の表側の前記本体基板５に設けた超音波発振部１１と、該超音波発振部１１の上方と前方と両側方とを覆うと共に後方にカバー開口部１２ａを設けて立設する略半割れ截台円錐状の透明樹脂カバー１２と、前記本体基板５の下方に配設した送風機１３と、該送風機１３の送風口と連通させて前記仕切板６の裏面に形成したダクト１４と、該ダクト１４と連通させて前記仕切板６の中央に穿設した主エア流入孔１５と、前記ダクト１４と連通させて前記仕切板６の片側側部に直線状に位置させて穿設した複数の旋回流用エア流入孔１６と、前記仕切板６の上方に突設した本体庇部６ａに埋設した照明用ＬＥＤ１７と、を備え、前記照明用ＬＥＤ１７への配線コード１８は前記ダクト１４内に配設すると共に、前記超音波発振部１１は中央に超音波振動子２２を備え、該超音波振動子２２の周辺に前記液体流入溝１０と連通する略長円状の液体貯留部１１ａを凹設し、該液体貯留部１１ａの開口周辺に前記仕切板６と前記カバー開口部１２ａとの間に微粒子流通間隔を設けて載置する前記透明樹脂カバー１２は平坦状のカバー鍔部と、該カバー鍔部１２ｂの下方に垂設して前記液体貯留部１１ａの開口に挿脱自在に挿通させる略Ｃ字状のカバー挿通部１２ｃと、前記カバー鍔部１２ｂに両側と前側とが半割れテーパー状に上方に膨出するように延設したカバー側面１２ｄと、該カバー側面１２ｄの頂部に略平坦な微粒子選別部１２ｅを延設すると共に、前記カバー開口部１２ａの両側には微粒子流通切欠部１２ｆを切欠していることを特徴とするものである。
【００１１】
更に、請求項２に記載の照明付き超微粒子噴霧器は、請求項１に記載の照明付き超微粒子噴霧器において、前記下側ケーシング４の前面に操作部１９を設け、該操作部１９にオンオフのメインスイッチボタン２０を配設し、該オンオフのメインスイッチボタン２０は商業電源と電気的に接続し前記下側ケーシング４に内装したスイッチング回路２１を介装し、該スイッチング回路２１は前記送風機１３と前記超音波発振部１１と前記照明用ＬＥＤ１７とを電気的に接続させると共に、前記メインスイッチボタン２０でオフにした時に前記送風機１３のみを一定時間駆動させる遅延スイッチ回路を備えたことを特徴とするものである。
【００１２】
更には、請求項３に記載の照明付き超微粒子噴霧器は、請求項２に記載の照明付き超微粒子噴霧器において、前記操作部１９に微粒子噴霧量調整ツマミを配設し、該微粒子噴霧量調整ツマミ２３は超音波振動子振動量変動回路を介装して前記スイッチング回路２１に接続したことを特徴とするものである。
【００１３】
加えて、請求項４に記載の照明付き超微粒子噴霧器は、請求項２又は請求項３に記載の照明付き超微粒子噴霧器において、前記操作部１９にタイマー設定ボタン２４を配設し、該タイマー設定ボタン２４はタイマー設定回路を介装して前記スイッチング回路２１に接続したことを特徴とするものである。
【００１４】
更には、請求項５に記載の照明付き超微粒子噴霧器は、請求項２〜４のいずれか一項に記載の照明付き超微粒子噴霧器において、前記操作部１９に間欠運転設定ボタン２５を配設し、該間欠運転設定ボタン２５は間欠運転設定回路を介装して前記スイッチング回路２１に接続したことを特徴とするものである。
【実施例】
【００１５】
即ち、本発明の照明付き超微粒子噴霧器は、液体を超音波振動により霧化させた超微粒子を噴霧させ、雰囲気中を加湿するものであり、一般的に噴霧する液体は、水道水、蒸留水等を用いるものであるが、抗菌、防かびに効果を有する液体を用いても、又、爽やかな芳香剤等を混入させても良く、後述する上側ケーシング１と下側ケーシング４とを合着させることにより、全体形状が図１に図示する如く略富士山型となりデザイン的に優れた意匠性を有するものである。
【００１６】
そして、上側ケーシング１は、図２に図示する如く、表側上側ケーシング１ａと裏側上側ケーシング１ｂとを合着させてビス止めするもので、頂部にはノズル状の噴射口を回動可能とした円板状の超微粒子噴霧部２を挟着させ、表側上側ケーシング１ａには透明アクリル樹脂等の透明部材で形成した下辺が幅広で上辺を巾狭とした透明透視部２を貼設して内部の超微粒子の噴霧を目視できようにしたもので、下端は開口させて後述する下側ケーシング４と着脱可能に合着させる合成樹脂で形成した略カップ状のものである。
【００１７】
次に、下側ケーシング４は、上端辺に上側ケーシング１の下端の開口を着脱自在に嵌着させる嵌合用縁部を立設しており、上方には水平状に本体基板５を形成しており、本体基板５の下方内部には後述する送風機１３やスイッチング手段等を内装しているものである。
【００１８】
更に、仕切板６は、下側ケーシング４の本体基板５の前後方向の略中央に立設しているもので、上側ケーシング１を前後に後述する噴霧液貯留部９と超音波発振部１１とを仕切るもので、後述する主エア流入孔１５と旋回流用エア流通孔を穿設すると共に、立ち上る超音波振動による超微粒子の白色が映えるように黒色に配色するのが好ましいものである。
【００１９】
更には、噴霧液用タンク収容部８は、仕切板６の裏側に形成した噴霧液用タンク７を着脱可能に収容するスペースであり、下方には後述する噴霧液貯留部９を形成しており、噴霧液用タンク７は噴霧液を充填しているポリタンクであり、上下を逆にして載置することにより口部に設けた弁キャップから一定量づつ噴霧液を流出させるものである。
【００２０】
次いで、噴霧液貯留部９は、噴霧液用タンク収容部８の下方の本体基板５の上面に凹設しているもので、上方に噴霧液用タンク７を載置することにより一定量の噴霧液を貯留すると共に、後述する液体流入溝１０に流出させるものである。
【００２１】
また、液体流入溝１０は、噴霧液貯留部９と後述する超音波発振部１１とを連通させる凹溝であり、仕切板６の下方を貫通させて、仕切板６の裏側に位置する噴霧液貯留部９から仕切板６の表側に位置する超音波発振部１１に噴霧液を流入させるものである。
【００２２】
そして、超音波発振部１１は、仕切板６の表側の本体基板５に凹設しているもので、液体流入溝１０と連通させると共に、中心には超音波振動子２２を備えているものである。
【００２３】
更に、透明樹脂カバー１２は、超音波発振部１１の上方と前方と両側方とを覆うと共に後方にカバー開口部１２ａを設けて立設するもので、透明アクリル樹脂等により一体に形成した略截台円錐状を縦方向に半割れ状にしているもので、超音波振動子２２が発生させた水滴や大粒の粒子を選別して微粒子以外は下方の超音波発振部１１に戻すものである。
【００２４】
更には、送風機１３は、本体基板５の下方に内装しているもので、ファンにより下側ケーシング４の底面に設けた空気取り入れ孔から雰囲気中の空気を取り入れ、後述するダクト１４にエアを送り、超微粒子を上側ケーシング１の頂部の噴射口から噴霧させる空気流を形成するもので、モーターの回転軸にファンを固定して回転させ送風するものであり、モーターは後述するスイッチング回路２１を介装して商業電源と電気的に接続させているものである。
【００２５】
次に、ダクト１４は、送風機１３の送風側と連通させて仕切板６の裏面に形成しているもので、後述する主エア流入孔１５と複数の旋回流用エア流入孔１６とを連通させると共に、後述する配線コード１８を配設させているものである。
【００２６】
次いで、主エア流入孔１５は、ダクト１４と連通させた主エア流ノズル１５ａを介装して仕切板６の稍上方の中央に穿設した横に長い矩形状の孔で、送風機１３で送られるエアをダクト１４に流入させて、ダクト１４から主エア流ノズル１５ａを通過して、主エア流入孔１５からエアを超音波発振部１１に流入させるものである。
【００２７】
更に、複数の旋回流用エア流入孔１６は、仕切板６の片側側部に縦方向に直線状に位置させて穿設しダクト１４と連通させた縦長の複数の長方形の孔であり、超音波微粒子を上側ケーシング１の内部で旋回流として立ち上るように横風を送るもので、主エア流入孔１５と共に、その大きさと、数と、穿設位置、風量等により微妙に旋回流が変化するものである。
【００２８】
更には、照明用ＬＥＤ１７は、仕切板６の上方の超微粒子噴霧部２の下方との間に間隙を有して突設した本体庇部６ａに複数個を並べて埋設しているもので、緑色等のカラー照明にして点灯することにより、超音波振動により立ち上る超微粒子にカラー照明を照射すると共に、透明樹脂カバー１２の頂部でも反射されるものである。
【００２９】
そして、照明用ＬＥＤ１７への後述するスイッチング手段からの配線コード１８はダクト１４内に配設したもので、湿度の高い噴霧液貯留部９や液体流入溝１０、及び、超音波発振部１１から完全に電気系統を分離できるものである。
【００３０】
次に、超音波発振部１１は、下側ケーシング４の本体基板５の表側に貫設しているもので、表側の中央には超音波振動子２２を備え、超音波振動子２２への電気的接続は本体基板５の下面に配線しており、超音波振動子２２の周辺に液体流入溝１０と連通する略長円状の液体貯留部１１ａを凹設して水没状態としているものである。
【００３１】
更には、透明樹脂カバー１２は、図３に図示する如く、液体貯留部１１ａの開口周辺に仕切板６との間に微粒子流通間隔を設けて載置するための平坦状のカバー鍔部１２ｂと、カバー鍔部１２ｂの下方に垂設して液体貯留部１１ａの開口の両側と前側に挿脱自在に挿通させる略Ｃ字状のカバー挿通部１２ｃと、カバー鍔部１２ｂに両側と前側とがテーパー状に上方に窄まり膨出するように延設したカバー側面１２ｄと、カバー側面１２ｄの頂部に略平坦な微粒子選別部１２ｅを延設しており、カバー側面１２ｄと微粒子選別部１２ｅとで略截台円錐状を縦方向に半割れ状にしてカバー後方開口辺を設けたもので、カバー後方開口辺の両側には夫々半円形状の微粒子流通切欠部１２ｆを切欠しているものである。
【００３２】
また、操作部１９は、下側ケーシング４の前面に設けているもので、オンオフのメインスイッチボタン２０と、タイマー設定ボタン２４と、間欠運転設定ツマミと、微粒子噴霧量調整ボタン、及び、各パイロットランプとを配設しているものである。
【００３３】
そして、メインスイッチボタン２０は、下側ケーシング４に内装したスイッチング回路２１を介装させて超音波振動子２２、照明用ＬＥＤ１７、送風機１３の電源のオンオフをさせるもので、スイッチング回路２１はアダプターを介装しＤＣ２４Ｖに変換させて電源コードで商業電源と電気的に接続しているものである。
【００３４】
次に、遅延スイッチ回路は、スイッチング回路２１に接続しているもので、下側ケーシング４の前面に設けたメインスイッチボタン２０をオフにした時に、超音波発信部の振動は停止させ、照明用ＬＥＤ１７も消灯させるものであるが、送風機１３のみを一定時間（実施例では３分間）駆動させて、上側ケーシング１内に残留する立ち上った微粒子を排除するものである。
【００３５】
更には、超音波振動子振動量変動回路は、微粒子噴霧量調整ツマミ２３とスイッチング回路２１との間に介装しているもので、微粒子噴霧量調整ツマミ２３は回動するダイヤル式のツマミであり、微粒子噴霧量調整ツマミ２３を回動させることにより電圧を調整させて超音波振動子２２の振動量を変動させて、立ち上る微粒子の量の調整をするものである。
【００３６】
次いで、タイマー設定回路は、タイマー設定ボタン２４とスイッチング回路２１との間に介装しているもので、タイマー設定ボタン２４を押圧することにより、一定時間経過後に自動的にスイッチがオフとなるもので、実施例では８時間に設定しているもので、この時、遅延スイッチ回路も作動するものである。
【００３７】
更に、間欠運転設定回路は、間欠運転設定ボタン２５を押圧することで一定時間のオン状態の後に、一定時間のオフ状態に成り、オンオフの状態を一定時間毎に繰り返すもので、適度に加湿する時に使用するもので、間欠運転設定ボタン２５とスイッチング回路２１との間に介装しているものである。
【００３８】
つまり、本発明の照明付き超微粒子噴霧器は、前述のように構成され、下側ケーシング４と上側ケーシング１との嵌着を外して、仕切板６の裏側の噴霧液用タンク収容部８に噴霧液用タンク７を反転させて載置すると、噴霧液用タンク７から流出した噴霧液は噴霧液貯留部９に貯留されると共に、液体流入溝１０に流出し、液体流入溝１０から超音波発振部１１に流入するものであり、透明樹脂カバー１２は予め噴霧液貯留部９の液体貯留部１１ａの開口にカバー挿通部１２ｃを挿通させて上方に載置されているもので、上側ケーシング１を下側ケーシング４に嵌着させるものである。
【００３９】
そして、メインスイッチボタン２０をオンすることにより、超音波発振部１１に備えた超音波振動子２２が振動して微粒子を発生させると共に、照明用ＬＥＤ１７を点灯させ、送風機１３を駆動させるものであり、そうすると、超音波振動子２２が発生させた微粒子が主エア流入孔１５と複数の旋回流用をエア流入孔とから流入するエアにより上側ケーシング１の中に渦巻き状立ち上る超微粒子と成り、照明用ＬＥＤ１７で照明されることから美しい旋回流として噴霧されるものである。
【００４０】
そして、透明樹脂カバー１２は、後方にカバー開口部１２ａを備えた縦方向に半割れ状略截台円錐状のもので、液体貯留部１１ａの開口周辺に仕切板６とカバー開口部１２ａとの間に微粒子流通間隔を設けて載置するための平坦状のカバー鍔部１２ｂと、カバー鍔部１２ｂの下方に垂設したカバー挿通部１２ｃと、カバー鍔部１２ｂに両側と前側とが半割れテーパー状に上方に膨出するように延設したカバー側面１２ｄと、カバー側面１２ｄの頂部に略平坦な微粒子選別部１２ｅを延設しているもので、超音波振動子２２で噴霧される微粒子は水滴や粒子の大きいものも含まれ、これらは透明樹脂カバー１２のカバー側面１２ｄや微粒子選別部１２ｅにより超音波発振部１１に戻され、超微粒子のみがカバー開口部１２ａと微粒子流通切欠部１２ｆから立ち上るものである。
【産業上の利用可能性】
【００４１】
本発明の照明付き超微粒子噴霧器は、上側ケーシングに透明部材で形成した透明透視部を備えたことと、上方に照明用ＬＥＤ１７を設けたことと、超音波発振部を設けたことによって、照明用ＬＥＤで上方から超音波発振部を照明できると共に、送風機１３により送られる空気流が主エア流入孔１５と複数の旋回流用エア流入孔１６から流入して液体が霧化されて立ち上る超微粒子を旋回流として立ち上らせ、更に、カラー照明の照明用ＬＥＤでライトアップされ幻想的な世界に浸れる装飾用としても用いられるものであり、更には、水流通系及び微粒子流通系と電気配線系を完全に分離させていることから、短絡等の電気的なトラブルの発生が無く成り、加えて、透明樹脂カバー１２を一体に形成し、仕切板６との間に微粒子流通間隔を設け、超音波発振部の上方と前方と両側方とを覆うように立設させたことから、立ち上る超微粒子が透明樹脂カバー１２の内部、及び、カバー開口部と仕切板との間の微粒子流通間隔から立ち上る微粒子が良く目視でき、更に、遅延スイッチ手段を備えたことにより、一定時間送風機１３のみが駆動を継続してスイッチ切断後の立ち上った微粒子を完全に排除することで、使用後に内側に微粒子が付着して曇る心配も無くなる照明付き超微粒子噴霧器を提供するものである。
【図面の簡単な説明】
【００４２】
【図１】図１は本発明の照明付き超微粒子噴霧器の実施例の全体斜視図である。
【図２】図２は本発明の照明付き超微粒子噴霧器の実施例の内部の説明をするための分解斜視図である。
【図３】図３は本発明の照明付き超微粒子噴霧器の実施例の透明樹脂カバーの斜視図である。
【図４】図４は本発明の照明付き超微粒子噴霧器の実施例の回路図である。
【符号の説明】
【００４３】
１      上側ケーシング
２      超微粒子噴霧部
３      透明透視部
４      下側ケーシング
５      本体基板
６      仕切板
６ａ    本体庇部
７      噴霧液用タンク
８      噴霧液用タンク収容部
９      噴霧液貯留部
１０    液体流入溝
１１    超音波発振部
１１ａ  液体貯留部
１２    透明樹脂カバー
１２ａ  カバー開口部
１２ｂ  カバー鍔部
１２ｃ  カバー挿通部
１２ｄ  カバー側面
１２ｅ  微粒子選別部
１２ｆ  微粒子流通切欠部
１３    送風機
１４    ダクト
１５    主エア流入孔
１６    旋回流用エア流入孔
１７    照明用ＬＥＤ
１８    配線コード
１９    操作部
２０    メインスイッチボタン
２１    スイッチング回路
２２    超音波振動子
２３    微粒子噴霧量調整ツマミ
２４    タイマー設定ボタン
２５    間欠運転設定ボタン
【図１】
2008302293.tif 000003
【図２】
2008302293.tif 000004
【図３】
2008302293.tif 000005
【図４】
2008302293.tif 000006